(57)【要約】【課題】  ユーザが観察する画像を見やすくすることのできるウェアラブルディスプレイを提供することを目的とする。【解決手段】  ユーザの眼前に画像を表示する表示部と、前記表示部を前記ユーザの頭部に装着可能な身体装着部と、前記表示部の上部に設けられ、前記表示部における画像表示時に前記表示部の上方からの光の影響を低減する光進入防止部とを有することを特徴とするウェアラブルディスプレイ。【選択図】      図１
2008311908.tif 000002
【特許請求の範囲】
【請求項１】
ユーザの眼前に画像を表示する表示部と、
前記表示部を前記ユーザの頭部に装着可能な身体装着部と、
前記表示部の上部に設けられ、前記表示部における画像表示時に前記表示部の上方からの光の影響を低減する光進入防止部と
を有することを特徴とするウェアラブルディスプレイ。
【請求項２】
請求項１に記載のウェアラブルディスプレイにおいて、
前記光進入防止部は、前記身体装着部により前記ユーザが前記表示部を頭部に装着した状態で、前記ユーザの顔面側の一端部が前記ユーザの顔面に当接することを特徴とするウェアラブルディスプレイ。
【請求項３】
請求項１又は２に記載のウェアラブルディスプレイにおいて、
前記光進入防止部は、前記ユーザの視軸に沿って前後方向に移動可能であることを特徴とするウェアラブルディスプレイ。
【発明の詳細な説明】
【技術分野】
【０００１】
本発明は、ユーザの頭部に装着可能なウェアラブルディスプレイに関する。
【背景技術】
【０００２】
近年、ヘッドマウントディスプレイなどのいわゆるウェアラブルディスプレイに関する技術が考えられている。特許文献１には、眼鏡型のヘッドマウントディスプレイの一例が開示されている。
【特許文献１】特開２０００−２４９９６７号公報
【発明の開示】
【発明が解決しようとする課題】
【０００３】
しかし、従来のウェアラブルディスプレイには、照明光や太陽光などのユーザの上方向からの光が入り込みやすい。そのため、この入り込んだ光や、入り込んだ光がディスプレイの前面に反射した光などが、ユーザの観察する画像を見づらくさせてしまうおそれがある。
【０００４】
本発明のウェアラブルディスプレイは、ユーザが観察する画像を見やすくすることを目的とする。
【課題を解決するための手段】
【０００５】
本発明のウェアラブルディスプレイは、ユーザの眼前に画像を表示する表示部と、前記表示部を前記ユーザの頭部に装着可能な身体装着部と、前記表示部の上部に設けられ、前記表示部における画像表示時に前記表示部の上方からの光の影響を低減する光進入防止部とを有することを特徴とする。
【０００６】
なお、好ましくは、前記光進入防止部は、前記身体装着部により前記ユーザが前記表示部を頭部に装着した状態で、前記ユーザの顔面側の一端部が前記ユーザの顔面に当接しても良い。
【０００７】
また、好ましくは、前記光進入防止部は、前記ユーザの視軸に沿って前後方向に移動可能であっても良い。
【発明の効果】
【０００８】
本発明のウェアラブルディスプレイによれば、ユーザが観察する画像を見やすくすることが可能になる。
【発明を実施するための最良の形態】
【０００９】
図１は、本実施形態のウェアラブルディスプレイ１００の外観図である。ウェアラブルディスプレイ１００は、図１に示すように、眼鏡型であって、画像表示ユニット１０１ｌ、１０１ｒ、ブリッジ１０２、テンプル１０３ｌ、１０３ｒ、遮光ユニット１０４、ガイド１０５ｌ、１０５ｒを備える。
【００１０】
画像表示ユニット１０１ｌ、１０１ｒは、ブリッジ１０２により連結される。テンプル１０３ｌ、１０３ｒの一端は、それぞれ画像表示ユニット１０１ｌ、１０１ｒに取り付けられる。また、テンプル１０３ｌ、１０３ｒの他端は、下方向に湾曲し、装着時にユーザの耳に係止される。テンプル１０３ｌ、１０３ｒと、ブリッジ１０２に備えられた不図示の鼻当てとにより、ウェアラブルディスプレイ１００がユーザの頭部に装着される。遮光ユニット１０４は、ユーザがウェアラブルディスプレイ１００を装着したときに、ユーザの上方向からの光を遮る。ガイド１０５ｌ、１０５ｒは、それぞれテンプル１０３ｌ、１０３ｒの近傍に配置される。画像表示ユニット１０１ｌ、１０１ｒ、遮光ユニット１０４、ガイド１０５ｌ、１０５ｒの詳細は後述する。
【００１１】
図２は、図１の直線Ｌを含む断面図を矢印Ａ、Ａ’方向から見た図である。図２に示すように、画像表示ユニット１０１ｌは、ＬＣＤなどの画像表示素子１０６と、画像表示素子１０６の映像を拡大してユーザの眼に投影する投影光学系１０７とを備える。なお、ＬＣＤは透過型でも反射型でも良い。また、画像表示素子１０６として、有機ＥＬディスプレイや、自発光型の素子を２次元的に配列したものなどを用いても良い。また、画像表示ユニット１０１ｒは、画像表示ユニット１０１ｌと同様の構成をしているため、説明を省略する。
【００１２】
図３は、遮光ユニット１０４の内部構成を示す図である。図３に示すように、遮光ユニット１０４は、画像表示ユニット１０１ｌ、１０１ｒの上部に配置される。遮光ユニット１０４は、板ばね１０８ｌ、１０８ｒと、カバー１０９と、スライド部１１０とを備える。板ばね１０８ｌ、１０８ｒは、スライド部１１０を矢印Ｘ２の方向に押圧するための部材であり、スライド部１１０のうち、ユーザの額と反対側の面に取り付けられる。カバー１０９は、ユーザの額と反対側に配置され、板ばね１０８ｌ、１０８ｒを覆う。スライド部１１０は、ユーザの額側に配置され、短手方向の側面には、ガイド１０５ｌ、１０５ｒの上部が接触される。なお、ガイド１０５ｌ、１０５ｒの下部は、それぞれ画像表示ユニット１０１ｌ、１０１ｒに取り付けられる。スライド部１１０とガイド１０５ｌ、１０５ｒとの接触部分には、例えば、公知のスライドレールのような構造が適用される。したがって、スライド部１１０は、ガイド１０５ｌ、１０５ｒに接触しつつ、ユーザの視軸の方向（矢印Ｘ１、Ｘ２の方向）に移動可能である。
【００１３】
ユーザがウェアラブルディスプレイ１００を装着したときに、スライド部１１０は、ユーザの額により、矢印Ｘ１の方向に付勢される。また、スライド部１１０は、板ばね１０８ｌ、１０８ｒの弾性力により、矢印Ｘ２の方向に付勢される。すなわち、スライド部１１０の位置は、ガイド１０５ｌ、１０５ｒ、板ばね１０８ｌ、１０８ｒにより、ユーザの額の形状に応じて調整される。この結果、スライド部１１０のうち、ユーザの額側の面は、ユーザの額に接触して、スライド部１１０をユーザの額に保持する。したがって、遮光ユニット１０４は、画像表示ユニット１０１ｌ、１０１ｒとユーザの額との間にある隙間を減らす。
【００１４】
以上説明したように、本実施形態によれば、遮光ユニット１０４は、ユーザがウェアラブルディスプレイ１００を装着したときに、ユーザの上方向からの光を遮る。したがって、ユーザは、画像表示ユニット１０１ｌ、１０１ｒによって表示される画像を観察しやすくなる。
【００１５】
また、遮光ユニット１０４は、ユーザの額に接するため、遮光ユニット１０４とユーザの額との隙間を減らす。したがって、遮光ユニット１０４がユーザの額に接しない場合と比較して、ユーザの上方向からの光をより多く遮ることができる。さらに、遮光ユニット１０４がユーザの額に接することで、遮光ユニット１０４がユーザの額に接しない場合と比較して、ウェアラブルディスプレイ１００の装着時の支点が増える。したがって、ユーザにとってウェアラブルディスプレイ１００装着時の安定感が向上する。
【００１６】
また、遮光ユニット１０４は、ユーザの額の位置に応じて視軸方向に移動するため、どのようなユーザがウェアラブルディスプレイ１００を装着しても、遮光ユニット１０４とユーザの額との隙間を減らすことができる。
【００１７】
なお、本実施形態では、遮光ユニット１０４の形状は限定されない。例えば、上記の実施形態では、長方形状のスライド部１１０を用いたが、スライド部１１０のうち、ユーザの額に接する部分は、ユーザの額の曲線に合わせた形状でも良い。
【００１８】
また、本実施形態では、遮光ユニット１０４の素材は限定されない。例えば、遮光ユニット１０４は、完全遮光の素材により構成されても、半透過の素材により構成されても良い。さらに、遮光ユニット１０４のうち、ユーザの額に接する部分に弾性体を用いても良い。
【００１９】
また、本実施形態では、遮光ユニット１０４のうち、ユーザの額側の面が接する部分は、ユーザの額に限定されない。例えば、遮光ユニット１０４のうち、ユーザの額側の面は、ユーザの眉毛やまぶたなどに接しても良い。
【００２０】
また、本実施形態において、ユーザの側面からの光を遮るように、テンプル１０３ｌ、１０３ｒの幅を大きくしても良い。
【００２１】
また、本実施形態では、板ばね１０８ｌ、１０８ｒの個数は限定されない。つまり、上記の実施形態では、左右に１個ずつの板ばね１０８ｌ、１０８ｒを用いたが、板ばねは１個で左右共用しても良い。また、板ばねに限定する必要はなく、コイルバネなどを用いても良い。
【００２２】
また、本実施形態において、板ばね１０８ｌ、１０８ｒを用いることなく、ユーザが手動で遮光ユニット１０４を前後に移動可能な構成としても良い。
【００２３】
また、本実施形態では、遮光ユニット１０４を、固定しても良い。例えば、遮光ユニット１０４の短手方向の長さを統計的に求めて、遮光ユニット１０４を構成しても良い。
【００２４】
また、本実施形態において、遮光ユニット１０４は、ユーザの額に接しなくても、遮光ユニット１０４とユーザの額との隙間をある程度減らすことができる。したがって、遮光ユニット１０４は、ユーザの額に必ずしも接しなくても良い。
【００２５】
また、本実施形態では、両眼タイプのウェアラブルディスプレイ１００を用いて説明したが、単眼タイプのウェアラブルディスプレイにも同様に適用することができる。
【図面の簡単な説明】
【００２６】
【図１】本実施形態のウェアラブルディスプレイ１００の外観図である。
【図２】図１の直線Ｌを含む断面図を矢印Ａ、Ａ’方向から見た図である。
【図３】本実施形態の遮光ユニット１０４の内部構成を示す図である。
【符号の説明】
【００２７】
１００…ウェアラブルディスプレイ、１０１ｌ・１０１ｒ…画像表示ユニット、１０２ｌ・１０２ｒ…テンプル、１０４…遮光ユニット、１０５ｌ・１０５ｒ…ガイド、１０８ｌ・１０８ｒ…板ばね、１０９…カバー、１１０…スライド部
【図１】
2008311908.tif 000003
【図２】
2008311908.tif 000004
【図３】
2008311908.tif 000005